【手続補正書】
【提出日】平成16年12月6日(2004.12.6)
【手続補正１】
【補正対象書類名】明細書
【補正対象項目名】全文
【補正方法】変更
【補正の内容】
【書類名】      明細書
【発明の名称】  パチンコ機
【特許請求の範囲】
【請求項１】
遊技盤の裏面に固定される上下一対の軸受孔を形成した合成樹脂製支持ベースに、制御基板を収納した制御ボックスが側方から抜き差し可能に装着される金属製装着板を配設し、
該装着板に、制御ボックスの底部に形成した係合孔に側方から係合する突片を設けるとともに、
該装着板の上下両端に、装着板の係合状態で制御ボックスの前縁に係合して該制御ボックスの抜け出しを規制する係止片部と、支持ベースの前記軸受孔に遊嵌される支軸とが夫々突設された合成樹脂製側板部を固定し、
支軸を軸受孔に遊嵌することにより支持ベースに対して装着板を回動可能に枢結したことを特徴とするパチンコ機。
【請求項２】
球寄せ板を備える遊技盤の裏面に、球寄せ板と非接触状態で合成樹脂製の支持ベースを固定し、合成樹脂製の側部板を金属製の装着板に固定し、前記側部板を介して装着板を支持ベースに回動可能に枢結したことを特徴とする請求項１に記載したパチンコ機。
【発明の詳細な説明】
【０００１】
【発明の属する技術分野】
本発明は、パチンコ機に関する。
【０００２】
【従来の技術】
一般に、パチンコ機の遊技盤は、遊技内容の異なる別の遊技盤と交換可能になっており、この遊技盤を交換する場合には、遊技内容を制御する制御基板が収納された制御ボックスも同時に交換する必要がある。
【０００３】
従来のパチンコ機は、前記制御ボックスが、機構板の開閉を遮る形で配設されているため、遊技盤を遊技内容の異なる新たな遊技盤と交換する毎に、古い制御ボックスを取り外して機構板を開き、遊技盤を交換した後、再び機構板を閉じて新たな遊技盤用の制御ボックスを付け直すとともに、遊技盤と、制御ボックスとを結ぶ配線を行なわなければならなかった。このため、遊技盤の交換が非常に面倒であった。
【０００４】
そこで、このような問題点に対処し得るようにしたものが、例えば特公平7-49071 号公報等に開示されている。
【０００５】
これは、遊技盤の裏面にセットされる機構板に開口部を設け、該開口部から露出する遊技盤の玉寄せ板に制御ボックスを取り付けるようにしたものであり、これによって、製造メーカーから遊技場への出荷時点で、遊技盤に対する制御ボックスの取り付け、及び遊技盤と制御ボックス間の配線を済ませておくことができるため、遊技場での遊技盤の交換作業を簡単に行い得るようになっている。
【０００６】
ところで、近年の遊技内容の複雑化に伴ない、遊技内容を制御する制御基板が大型化し、該制御基板を収納する制御ボックスも大型化している。このため、上記のように制御ボックスを、機構板の開口部より露出する玉寄せ板に取り付けた場合、該制御ボックスが開口部内に収まらず、その一側端が機構板上に重なるようにはみ出てしまい、機構板の開閉操作に支障を来すという不具合が生じることとなる。
【０００７】
そこで、前記公報（特公平7-49071 号）のものにあっては、制御ボックスの中央寄り（パチンコ機の中央に近い側）の一側端に、上下一対のピンを備えた枢結部材を固着する一方、玉寄せ板には前記ピンが遊嵌される貫通孔を備えたボス部を有する取り付け板を固着して、該ボス部の貫通孔に遊嵌した前記ピンを軸にして制御ボックスを回動させ得るようになっており、機構板を開く際に、制御ボックスを回動させて機構板の開口部の開閉軌跡内に退避させるようにしている。
【０００８】
【発明が解決しようとする課題】
ところで、近年、制御基板を収納する制御ボックスは、従来の鉄板等の金属製のものに代えて合成樹脂で形成したものが使用され始めており、このような合成樹脂製の制御ボックスに、上記のようなピンを備えた枢結部材を直接取り付けた場合、あるいは該枢結部材を合成樹脂によって制御ボックスと一体に形成した場合、強度が得られず、回動時に制御ボックスに破損が生ずる虞れがあり、また、検査や修理時に制御ボックスが着脱しにくいという問題点がある。
【０００９】
一方、現在の制御ボックスは、所轄の検査時に、内部に収納した制御基板の表裏面が見えなければならならず、これに対応し得るものにしなければならないという問題点もある。
【００１０】
本発明は、かかる問題点を解決し得るようにしたパチンコ機の提供を目的とするものである。
【００１１】
【課題を解決するための手段】
本発明は、遊技盤の裏面に固定される上下一対の軸受孔を形成した合成樹脂製支持ベースに、制御基板を収納した制御ボックスが側方から抜き差し可能に装着される金属製装着板を配設し、
該装着板に、制御ボックスの底部に形成した係合孔に側方から係合する突片を設けるとともに、
該装着板の上下両端に、装着板の係合状態で制御ボックスの前縁に係合して該制御ボックスの抜け出しを規制する係止片部と、支持ベースの前記軸受孔に遊嵌される支軸とが夫々突設された合成樹脂製側板部を固定し、
支軸を軸受孔に遊嵌することにより支持ベースに対して装着板を回動可能に枢結したことを特徴とするパチンコ機である。
【００１２】
かかる構成にあって、装着板の突片に、制御ボックスの底部の係合孔を側方から係合させるとともに、その係合状態で制御ボックスの前縁に装着板の係止片部を係合させることにより、制御ボックスを装着板に取り付けることができる。また、前縁に係合された係止片部を外せば制御ボックスを側方に引き抜くことができる。これにより、制御ボックスの着脱を容易に行うことができる。
【００１３】
ここで、制御ボックスを回動させるようにする場合には、制御ボックスを装着する金属製装着板を合成樹脂製側板部を介して回動させるように構成し得るので、制御ボックスに直接枢結部材を設けることに起因する制御ボックスの破損等の不具合を防止することができる。
【００１４】
かかる構成にあって、装着板に設けた各突片に、制御ボックスの係合孔を側方から夫々係合させるとともに、制御ボックスの前縁に側部板の鉤状の係止片部を係合させる場合に、合成樹脂からなる側部板の係止片部は適宜の弾性を有するため、該係止片部を上下方向に若干広げるように把持して、装着板の各突片に制御ボックスの底部の係合孔を係合させた後、前記係止片部から手を離すと、該係止片部がその弾性を介して元に戻り、制御ボックスの前縁に簡単に係合させることができる。また、逆に装着板から制御ボックスを取り外す場合には、制御ボックスの前縁に係合された係止片部を、上記と同様に上下方向に若干広げることにより、該係止片部の係合が外れ、この状態で制御ボックスを側方に引き抜くことにより、装着板の各突片から制御ボックスの係合孔が外れて、制御ボックスを簡単に取り外すことができる。これにより、検査や修理時に、制御ボックスの着脱を容易に行うことができる。
また、前記構成にあって、装着板を、遊技盤の裏面に固定される支持ベース上に保持する構成であるから、制御ボックスを装着する装着板を作業性の良い高さに設定することができる。
【００１５】
さらに、前記制御ボックスの底板を透明板で構成することにより、検査時に、装着板から制御ボックスを取り外すと、即座に制御ボックス内の制御基板の裏面を視認することができる。
【００１６】
【発明の実施の形態】
本発明の一実施例を、図１〜図１２について説明する。
図面において、１はパチンコ機の基枠であって、該基枠１内には裏面に玉寄せ板２を備えた遊技盤３が着脱可能に装着されており、該遊技盤３の裏面を覆うようにして機構板４が配設されている。該機構板４は、その一側端が前記基枠１側にヒンジ５を介して開閉可能に取り付けられており、該機構板４に形成された開口部６から前記玉寄せ板２の一部が露出するようになっている。
【００１７】
前記機構板４の開口部６から露出する玉寄せ板２には、該玉寄せ板２と遊技盤３を表裏方向に貫通する挿通孔７が形成されており、該挿通孔７から遊技盤３の前面に取り付けられた入賞装置の後部が裏面側に突出されている。この入賞装置の後部は玉寄せ板２に取り付けられた裏カバー８によって覆われており、該裏カバー８の側方に、機構板４の開口部６内に位置させて略矩形筺体状に形成された合成樹脂製の支持ベース９が並設されている。
【００１８】
前記支持ベース９は、中央寄り（パチンコ機の中央に近い側）の一側壁が開放された周壁板１０と、該周壁板１０の上部に一体形成された天板１１とを備えてなり、周壁板１０の基部を遊技盤３の裏面に固定して、玉寄せ板２の側縁部分２’を跨ぐようにして配設されている。これにより、周壁板１０によって玉寄せ板２の側縁部分２’の周囲が非接触状態で囲繞されるとともに、天板１１によって玉寄せ板２の側縁部分２’の上方が非接触状態で覆われている。また、前記天板１１は、遊技盤３に対して平行となるようにしている。
【００１９】
支持ベース９の天板１１上には、略矩形状に形成された装着板１２が配設されている。該装着板１２は金属板で構成されており、この金属板としては、安価で、成形が容易であり、かつ静電気の担持性に優れた鉄板が好適に使用され得る。該装着板１２の中央寄り（パチンコ機の中央に近い側）の一側端１２ａは、支持ベース９に対して回動可能に枢結されている。即ち、図６に示すように、支持ベース９の周壁板１０の上下両端縁１０ａ，１０ａには、その中央寄りの端部位置に軸受孔１３，１３が上下一対に形成されており、装着板１２には、その上下の側部板１４，１４の中央寄りの端部位置に、前記軸受孔１３，１３に遊嵌される支軸１５，１５が突設されている。そして、該支軸１５，１５を軸受孔１３，１３に回動可能に遊嵌させることにより、装着板１２を回動し得るようになっている。
【００２０】
これにより、支持ベース９を介して装着板１２を前記玉寄せ板２上に非接触状に支持するとともに、該装着板１２の中央寄りの一側端１２ａを支持ベース９に対して回動可能に枢結するようにしている。
【００２１】
前記装着板１２の側部板１４，１４は、合成樹脂からなり、装着板１２とは別素材によって構成されている。このため、該側部板１４，１４には、図７に示すように、装着板１２の上下両端縁に２個づつ設けられた矩形状の取り付け片１６，１６と嵌着し得る嵌合溝１７，１７が夫々形成されており、該嵌合溝１７，１７に取り付け片１６，１６を嵌着することによって、装着板１２の上下両端縁に側部板１４，１４を固定するようにしている。
【００２２】
また、前記支持ベース９の上下両端縁１０ａ，１０ａには、鉤状の係止片部１８，１８が上下一対に設けられており、側部板１４，１４には、装着板１２の非回動状態で前記係止片部１８，１８と係合してその非回動状態を保持する突起１９，１９が設けられている。さらに、側部板１４，１４の外端部（中央寄りの端部の反対側）には、装着板１２に装着される後述の制御ボックス２０の前縁２０ａに係合される鉤状の係止片部２１，２１が設けられている。
【００２３】
また、前記装着板１２の中央寄りの一側端縁２２ａには、図７に示すように、該一側端縁２２ａを曲成して立ち上げたストッパー縁２３が設けられており、さらに、装着板１２の四隅の近傍位置には、装着板１２の一部を他側端縁２２ｂ方向に向けて曲成したＬ形の突片２４が夫々設けられている。
【００２４】
装着板１２に装着される制御ボックス２０の底部には、図８〜図１２に示すように、前記突片２４が側方から係合される係合孔２５が夫々形成されている。
【００２５】
この制御ボックス２０は、上方を開口した矩形筺体状のケース本体３４ａと、該ケース本体３４ａの上方開口部を遮蔽する蓋体３４ｂとを備えてなる。ケース本体３４ａと蓋体３４ｂは、ともに合成樹脂によって形成されており、その長手方向に沿う一側縁の二箇所に夫々対向状に設けられたヒンジ部２６ａ，２６ｂ、２６ａ，２６ｂを回動可能に枢結することにより、その枢結部を支点として蓋体３４ｂを片開き状に開閉し得るようになっている。
【００２６】
前記ケース本体３４ａ内には、図１１に示すように、遊技内容を制御するＣＰＵ，ＲＯＭ，ＲＡＭ等の電子部品２７を備えた制御基板２８が収納されている。ケース本体３４ａの底部は周縁を残して略全面が開口されており、その開口部２９は合成樹脂からなる透明板３０によって遮蔽されている。そして、該透明板３０を底板としており、この透明板３０によって制御基板２８を保護するとともに、該制御基板２８の裏面をケース本体３４ａの底面側から視認できるようにしている。また、前記蓋体３４ｂは透明な合成樹脂で形成され、ケース本体３４ａ内に収納された制御基板２８を上部から視認できるようにしている。
【００２７】
ケース本体３４ａの長手方向で対向する二側縁には、図１０に示すように、複数のボス部３１が横幅方向に沿って所定間隔で列設されており、また、蓋体３４ｂの二側縁には、各ボス部３１と一対を成すように複数のフランジ部３２が夫々配設されている。そして、この一対を成すボス部３１とフランジ部３２とを、緊締方向へのみ螺回操作可能なワンウエイビスからなる締結螺子３３（図１２参照）によって順次締結することにより、一対を成すボス部３１とフランジ部３２の数に対応した所定回数の封印ができるようになっている。
【００２８】
かかる構成にあって、装着板１２の四隅の近傍位置に設けた各突片２４に、制御ボックス２０の底部に設けた係合孔２５を側方から夫々係合させるとともに、制御ボックス２０の前縁２０ａに側部板１４，１４の鉤状の係止片部２１，２１を係合させることにより、図８に示すように、装着板１２に制御ボックス２０を装着させることができる。この時、合成樹脂からなる側部板１４，１４の係止片部２１，２１は適宜の弾性を有するため、該係止片部２１，２１を上下方向に若干広げるように把持して、装着板１２の各突片２４に制御ボックス２０の底部の係合孔２５を係合させた後、前記係止片部２１，２１から手を離すと、該係止片部２１，２１がその弾性を介して元に戻り、制御ボックス２０の前縁２０ａに簡単に係合させることができる。この時、制御ボックス２０の後縁２０ｂがストッパー縁２３に当接し、該ストッパー縁２３によって支持される。
【００２９】
また、逆に装着板１２から制御ボックス２０を取り外す場合には、制御ボックス２０の前縁２０ａに係合された係止片部２１，２１を、上記と同様に上下方向に若干広げることにより、該係止片部２１，２１の係合が外れ、この状態で制御ボックス２０を側方に引き抜くことにより、装着板１２の各突片２４から制御ボックス２０の係合孔２５が外れて、制御ボックス２０を簡単に取り外すことができる。
【００３０】
これにより、検査や修理時に、制御ボックス２０の着脱を容易に行うことができる。
【００３１】
また、支持ベース９を、図２に示すように、機構板４から突出する適宜の高さとなるように設けることにより、該支持ベース９上に保持される装着板１２を、制御ボックス２０の着脱作業がしやすい高さ位置に設定することができる。
【００３２】
ここで、近年の遊技内容の複雑化に伴ない、遊技内容を制御する制御基板が大型化し、該制御基板を収納する制御ボックス２０も大型化している。このため、上記のように装着板１２に装着された制御ボックス２０は、前記機構板４の開口部６内に収まらず、図１，図２に示すように、その一側端が前記機構板４上に重なるようにして配設される場合もある。
【００３３】
このような場合にあって、制御ボックス２０を装着する装着板１２の中央寄りの一側端１２ａが、支軸１５，１５によって支持ベース９に対して回動可能に枢結されていることにより、遊技盤３の交換時、あるいは営業中における玉詰まり等の何らかの理由で機構板４を開く必要が生じた場合、支持ベース９の係止片部１８，１８と装着板１２の突起１９，１９との係合を外すことにより、制御ボックス２０を装着板１２に装着したままの状態で、図２，図４に示すように、支軸１５，１５を支点として、機構板４上に重なる制御ボックス２０の一側端を中央側に回動させることができ、該制御ボックス２０を機構板４の開口部６の開閉軌跡内に退避させることができる。これにより、制御ボックス２０を取り外すことなく機構板４を開閉させることができる。
【００３４】
そして、このように、制御ボックス２０の回動手段を、装着板１２の各突片２４及び係止片部２１，２１と制御ボックス２０の係合孔２５とからなる制御ボックス２０の装着手段とは全く別に構成し得るので、合成樹脂製の制御ボックス２０に直接枢結部材等の回動手段を設けることに起因する制御ボックス２０の破損等の不具合を防止することができる。
【００３５】
さらに、制御ボックス２０の蓋体３４ｂは、透明な合成樹脂で形成されているため、装着板１２に制御ボックス２０を装着したままでも、内部の制御基板２８の表面が視認できる。また、所轄の検査時には、制御基板２８の裏面も視認できなければならないのであるが、制御ボックス２０は、そのケース本体３４ａの底板が透明板３０で構成されており、上記のように制御ボックス２０が装着板１２から簡単に取り外せるため、制御基板２８の裏面も容易に視認することができるのである。
【００３６】
尚、実施例においては、制御ボックス２０を構成するケース本体３４ａと蓋体３４ｂとを、一対を成すボス部３１とフランジ部３２との締結によって封印するようにしたものについて説明したが、他の封印手段を備えた制御ボックス２０であってもよい。
【００３７】
【発明の効果】
本発明は、上述のように、遊技盤３の裏面に、制御基板２８を収納した制御ボックス２０が側方から抜き差し可能に装着される装着板１２を配設し、該装着板１２に、制御ボックス２０の底部に形成した係合孔２５に側方から係合する突片２４を設けるとともに、装着板１２に合成樹脂からなる側部板１４，１４を固定して、該側部板１４，１４に、装着板１２の係合状態で制御ボックス２０の前縁２０ａに係合して該制御ボックス２０の抜け出しを規制する係止片部２１，２１を設けるようにした。このため、合成樹脂からなる側部板１４，１４の係止片部２１，２１は適宜の弾性を有するため、該係止片部２１，２１を上下方向に若干広げるように把持して、装着板１２の各突片２４に制御ボックス２０の底部の係合孔２５を係合させた後、前記係止片部２１，２１から手を離すと、該係止片部２１，２１がその弾性を介して元に戻り、制御ボックス２０の前縁２０ａに簡単に係合させることができる。また、逆に装着板１２から制御ボックス２０を取り外す場合には、制御ボックス２０の前縁２０ａに係合された係止片部２１，２１を、上記と同様に上下方向に若干広げることにより、該係止片部２１，２１の係合が外れ、この状態で制御ボックス２０を側方に引き抜くことにより、装着板１２の各突片２４から制御ボックス２０の係合孔２５が外れて、制御ボックス２０を簡単に取り外すことができる。これにより、検査や修理時等において、制御ボックス２０の着脱を極めて容易に行うことができる。
【００３８】
また、制御ボックス２０を回動させるようにする場合には、制御ボックス２０を装着する装着板１２を回動させるように構成し得るので、合成樹脂性の制御ボックス２０にあって、従来のように制御ボックス２０に直接枢結部材を設けることに起因する制御ボックス２０の破損等の不具合を防止することができる。
【００３９】
また、装着板１２を、遊技盤３の裏面に固定される支持ベース９上に保持することにより、制御ボックス２０を装着する装着板１２を作業性の良い高さに設定することができ、さらに、前記制御ボックス２０の底板を透明板３０で構成することにより、上記のように制御ボックス２０が装着板１２から簡単に取り外せるため、制御基板２８の裏面を容易に視認し得る等の優れた効果がある。
【図面の簡単な説明】
【図１】
本発明にかかるパチンコ機の背面図である。
【図２】
同上の平面図である。
【図３】
遊技盤の背面側の斜視図である。
【図４】
制御ボックスを回動させた状態を示す遊技盤の背面側の斜視図である。
【図５】
制御ボックスを装着した支持ベースを遊技盤から分離した状態を示す斜視図である。
【図６】
支持ベースと装着板と制御ボックスとを分離した状態を示す斜視図である。
【図７】
装着板から側部板を分離した状態を示す斜視図である。
【図８】
装着板に制御ボックスを装着した状態を示す側断面図である。
【図９】
装着板から制御ボックスを取り外した状態を示す側断面図である。
【図１０】
制御ボックスを構成するケース本体と蓋体とを分離した状態の斜視図である。    
【図１１】
制御ボックスの縦断面図である。
【図１２】
制御ボックスの部分拡大縦断面図である。
【符号の説明】
３  遊技盤
９  支持ベース
１２  装着板
１４，１４側部板
２０  制御ボックス
２０ａ  前縁
２１  係止片部
２４  突片
２５  係合孔
２８  制御基板
３０  透明板